(57)【要約】【課題】ゴミの分級作業を効率的かつ衛生的環境の中で行うことである。【解決手段】前部開口をゴミ搬入口とし、後部開口をゴミ搬出口としたハウジング１と、始端側をハウジング前部開口より突出させ、終端側をハウジング内に位置させ、かつ終端側プーリをマグネットプーリ１４ｂとしたベルトコンベア１４と、コンベア１４の搬送終端位置下部に配置された篩架台１０と、前記プーリ１４ｂから離間した金属を排出ガイドするシュート１６と、篩架台１０上にあってコンベア１４の搬送終端位置に対向配置された振動式篩１１と、篩架台１０の下部空間内を前後移動可能であって、後部開口を通じて取出し可能な複数のゴミ集積箱１２と、吸引ノズル９ａ先端を篩１１の側面ないしは下面に対向させた集塵機６とを備えた。【選択図】      図３
2004313862.tif 000002
【特許請求の範囲】
【請求項１】
ゴミ搬入口とゴミ搬出口とを有し、クレーンやフォークリフト等によって可搬である屋根付のハウジングを備え、
該ハウジング内には、
前記ゴミ搬入口から搬入されたゴミを取り入れるためのベルトコンベアと、該ベルトコンベアの搬送終端位置下方に配置されてゴミが落とし込まれ所定の大きさのゴミを落下せしめる篩と、該篩の下方に配置され前記篩から落下したゴミを集積するための第１のゴミ集積箱と、前記篩の端部に配置され該篩から落下しなかったゴミを集積するための第２のゴミ集積箱と、吸引ノズル先端を前記篩の側面ないしは下面に対向させた集塵機とを備えたことを特徴とするゴミの分級装置。
【請求項２】
前記ベルトコンベアは、前記ハウジングから前記ゴミ搬入口を通じて外方に引出し可能にして、かつ、該ハウジング内に引込み可能となっていることを特徴とする請求項１に記載のゴミの分級装置。
【請求項３】
前記篩は、傾斜配置されていることを特徴とする請求項１または２に記載のゴミの分級装置。
【請求項４】
前記ベルトコンベアは、その終端側内側にマグネットを備え、該マグネットは、その磁力により吸着されつつ前記ベルトコンベア上を反転する金属類が所定の距離をもって搬送されたときに落下する位置および磁力を有するとともに、前記ベルトコンベアの終端側下方には、該ベルトコンベアから落下する金属類を排出ガイドするシュートを備えたことを特徴とする請求項１〜３のいずれかの項に記載のゴミの分級装置。
【請求項５】
前記ハウジングにおけるゴミ搬入口及びゴミ搬出口をそれぞれを開閉可能なシャッターで覆ったことを特徴とする請求項１〜４のいずれかの項に記載のゴミの分級装置。
【発明の詳細な説明】
【０００１】
【発明の属する技術分野】
本発明は、建築現場などから発生するゴミを効率的、衛生的に分級する装置に関する。
【０００２】
【従来の技術】
建築現場において、特に設備工事や内装工事が始まるようになった段階から、ゴミが大量に発生する。ゴミのうち、ボード類、内装家具などを保護するための養生シートなどの大きいものは予め種類別に順次分級されて集積され、廃棄処分される。これに対し、コンクリートはつり滓、砂、釘、紙くず、木っ端、ボードの破片その他の小さなゴミは工事最終段階における床などの一斉清掃により掃き集められ、それぞれ土嚢袋などにまとめて収納した状態で一カ所に集積される。この集積位置では、集積したゴミを左官砂用篩などを用いて人力により分級仕分し、それぞれの種類、大きさ別にまとめて廃棄処分されるのが一般的である。
【０００３】
【発明が解決しようとする課題】
しかしながら、実際の分級作業では、特に耐火被覆として用いられている石膏ボードの粉や内装ボードの切りくずなどが大量にあった場合には、粉塵の発生により作業環境が悪化し、仕分作業が困難となるという課題があった。
【０００４】
本発明は、以上の課題を解決するものであって、その目的は以上の建築現場で発生した小さなゴミの分級作業を効率的かつ衛生的に行えるようにしたゴミの分級装置を提供するものである。
【０００５】
【課題を解決するための手段】
前記目的を達成するため、本発明は、ゴミ搬入口とゴミ搬出口とを有し、クレーンやフォークリフト等によって可搬である屋根付のハウジングを備え、該ハウジング内には、前記ゴミ搬入口から搬入されたゴミを取り入れるためのベルトコンベアと、該ベルトコンベアの搬送終端位置下方に配置されてゴミが落とし込まれ所定の大きさのゴミを落下せしめる篩と、該篩の下方に配置され前記篩から落下したゴミを集積するための第１のゴミ集積箱と、前記篩の端部に配置され該篩から落下しなかったゴミを集積するための第２のゴミ集積箱と、吸引ノズル先端を前記篩の側面ないしは下面に対向させた集塵機とを備えたことを特徴とする。従って、本発明では、ベルトコンベアを通じてハウジング内に取り入れられたゴミは篩によって分級され、第１ゴミ集積箱または第２ゴミ集積箱内に仕分けされて回収される。また、作業員は、分級されない粗大ゴミを手選別してベルトコンベア上に載せるだけでよいため、作業が簡単であり、さらには落下や篩により発生する粉塵は、集塵機で吸引されるため、粉塵の散乱やこれに伴う作業環境の悪化も防止できる。
【０００６】
この発明において、前記ベルトコンベアは、前記ハウジングから前記ゴミ搬入口を通じて外方に引出し可能にして、かつ、該ハウジング内に引込み可能となっていることにより、非使用状態では、装置全体をコンパクトなものとすることができる。
【０００７】
また、この発明において、前記篩が傾斜配置されていることにより、ゴミを効率的に分級することができる。
【０００８】
本発明はまた、前記ベルトコンベアは、その終端側内側にマグネットを備え、該マグネットは、その磁力により吸着されつつ前記ベルトコンベア上を反転する金属類が所定の距離をもって搬送されたときに落下する位置および磁力を有するとともに、前記ベルトコンベアの終端側下方には、該ベルトコンベアから落下する金属類を排出ガイドするシュートを備えたものとすることができる。この発明により、金属類を効率的に分級することができる。
【０００９】
さらに、本発明において、前記ハウジングにおけるゴミ搬入口及びゴミ搬出口をそれぞれを開閉可能なシャッターで覆ったことにより、ほぼ閉環境で分級作業をすることができ、周囲への悪影響も予防できる。
【００１０】
【発明の実施の形態】
以下、本発明の好ましい実施の形態につき、添付図面を参照して詳細に説明する。図１（ａ），（ｂ）は本発明に係るゴミの分級装置の外観構成を示し、図２〜５はその内部構成を示す平面図、側面図、前面図及び背面図を示す。
【００１１】
この分級装置は、ハウジング１の内部に分級に必要な各機器類を配置したものであり、ハウジング１は、例えば軽量鉄骨からなる枠組により構成される長方形フレーム２の上面に例えば波形鉄板からなる屋根３を葺き、両側面に壁面パネル４及び作業現場での閉塞感防止用の窓サッシ５を配し、例えば、前面の向かって左側にゴミ搬入口としての開閉可能な前部シャッター６を配置し、向かって右側に作業員出入り用のドア７を配置し、背面全体をゴミ搬出口としての後部シャッター８で開閉可能に覆ったプレハブ式の建物構造となっている。
【００１２】
ハウジング１の内部における天井部の前後には前記シャッター６，８の格納用シャッターケース６ａ，８ａがそれぞれ配置されているとともに、床面上には集塵機９と、矩形状に枠組された篩架台１０と、篩架台１０上に設置された例えばモータ駆動式の振動式篩１１と、篩架台１０の下部空間に搬送可能に配置された複数のゴミ集積箱１２，１２が配置され、さらには天井部の前後方向に延設された左右一対のレール１３に吊下げられたモータ駆動式のベルトコンベア１４をそれぞれ配置しているほか、作業員がハウジング１内に入って作業を行うことができるようになっている。
【００１３】
なお、図示はしないが、集塵機９、篩１１、ベルトコンベア１４の制御用スイッチ類、及び外部電源に接続する給電線などもハウジング１内に配備されていることは勿論である。
【００１４】
集塵機９には吸引用の蛇腹式ノズル９ａが設けられ、その先端吸引口を前記篩１１の下部または側面に対向させ、篩１１の駆動に伴って発生する粉塵をこのノズル９ａを通じて吸引し、集塵機９内蔵した図示しないフィルタ内に回収するようになっている。
【００１５】
なお、篩１１，篩架台１０の高さは作業員が手選別しやすい高さ位置に設定されている。
【００１６】
各集積箱１２にはその底面に車輪１２ａが設けられ、後部シャッター８を開けることによりハウジング１に対する搬出搬入を可能としているとともに、ハウジング１の外では、車輪１２ａにより多方向に走行自在となっている。
【００１７】
ハウジング１の床面上には、各集積箱１２，１２の底面を載置しつつハウジング１の前後方向に走行させるための搬送ローラ（図示しない）が設けられている。各集積箱１２，１２は、搬送ローラに載置されることによって車輪１２ａがハウジング１の床面との間に若干の隙間を有し、車輪１２ａによってハウジング１内を多方向に集積箱１２が移動することを阻止し、前後方向のみに移動することを許容する。
【００１８】
ベルトコンベア１４は、前記レール１３に沿って移動する複数対のローラ１５にターンバックルなどを介して角度調整可能に懸垂されたもので、非使用状態では、ハウジング１の内部に格納され、使用状態では前部シャッター８を半開状態に開け、その先端を開口前面より引出し、かつハウジング１内側に向けて若干の上り勾配で固定される。
【００１９】
そして、ベルトコンベア１４の引出し先端側には、シュート状の搬入ガイド１４ａが設けられ、各部から排出されたゴミを搬送作業員がこの位置に投入することによって、ベルトの移動により順次ハウジング１内に移送される。
【００２０】
なお、ベルトコンベア１４は、引出し状態及び引込み状態のいずれかの状態をロックする手段（図示しない）を備えている。
【００２１】
本実施の形態において、ベルトコンベア１４の終端プーリ１４ｂは、マグネットプーリであって、プーリ１４ｂの着磁によりベルト上を搬送された釘などの金属類はここに吸着されつつ反転し、その下部側位置でプーリ１４ｂから離間することによって自然落下する。落下位置、すなわち篩架台１０の先端上部位置には排出シュート１６が設けられており、この排出シュート１６を通じてその下部に位置する集積箱１２内に落下回収される。なお、排出シュート１６は、ベルトコンベア１４の引込み時には、これと干渉する位置に配置されているため、折り畳まれる構成としている。
【００２２】
また、吸着されない一般ゴミは篩１１上に落下し、これの駆動により、篩１１のメッシュを通過したゴミは篩架台１０の下部に位置する集積箱１２内に落下集積される。
【００２３】
なお、落下及び振動に伴い発生する粉塵は、前記ノズル９ａを通じて集塵機９内に吸引されるため、ハウジング１内は比較的清浄な状態に保持され、またハウジング１内をほぼ閉鎖した状態で作業を行うことによって、粉塵の外部への飛散も概ね防止されるものとなる。
【００２４】
さらに、篩１１上に滞留し、メッシュを通過しない粗大ゴミ、例えば木片類などは作業員の手選別により回収し、作業員の傍らに置いてある集塵箱１２内に収容するようになっている。
【００２５】
以上により、ハウジング１内に持込まれたゴミは金属類、粉塵、微細ゴミ、粗大ゴミの複数に分級され、それぞれの集積箱１２内に回収される。
【００２６】
各集積箱１２が満杯状態となったら、作業を一時休止し、後部シャッター８を開けて各集積箱１２をハウジング１の外に搬出し、図６に示すように、例えばフォークリフト１７により規定の排出場所まで移送し、内部のゴミを排出した後は、再び元の位置に戻す作業が繰返される。
【００２７】
以上の作業終了後は、図６に示すように、ベルトコンベア１４を完全にハウジング１内に取込んで格納することができる。また、格納状態で、ハウジング１は完全に矩形状の箱となることから、移送する場合には、図７に示すように、屋根３の四隅に設けた吊り用ブラケット１８にワイヤＷを玉掛してクレーンなどにより吊り込み、トラック１９の荷台に載置して搬送できる。
【００２８】
従って、本発明の分級装置では、作業現場変更毎の組立分解作業が不要となり、現場にハウジング１を設置し、ベルトコンベアを引出し、集塵機９、篩１１、ベルトコンベア１４などを駆動するための給電線を外部の電力供給源に接続し、スイッチを入れれば、直ちに稼働を開始できることになる。
【００２９】
【発明の効果】
以上の説明により明らかなように、本発明によるゴミの分級装置にあっては、建築現場で発生した小さなゴミの分級作業を効率的かつ衛生的閉鎖環境の中で行うことができる。
【図面の簡単な説明】
【図１】（ａ），（ｂ）は本発明に係る分級装置の前面側及び背面側から見た外観構成を示す斜視図である。
【図２】同装置の内部構成を示す平面図である。
【図３】同側面図である。
【図４】同正面図である。
【図５】同背面図である
【図６】同装置におけるベルトコンベアの格納状態を示す側面図である。
【図７】同装置の搬送状態を示す説明図である。
【符号の説明】
１  ハウジング
６，８  シャッター
９  集塵機
９ａ  吸引ノズル
１０  篩架台
１１  振動式篩
１２  ゴミ集積箱
１２ａ  車輪
１４  ベルトコンベア
１４ｂ  マグネットプーリ
１６  排出シュート
【図１】
2004313862.tif 000003
【図２】
2004313862.tif 000004
【図３】
2004313862.tif 000005
【図４】
2004313862.tif 000006
【図５】
2004313862.tif 000007
【図６】
2004313862.tif 000008
【図７】
2004313862.tif 000009